(57)【要約】  電子装置に電源を供給するためのレセプタクルシステム（１０）が開示される。本システム（１０）は内部コンパートメント（８１）を有するレセプタクル（８０）と、電子装置と結合させるためのインターフェース装置と、インターフェース装置を介して受信される電子装置からの信号を処理するためのレセプタクル上の処理装置と、電子装置に電力を供給するためのレセプタクル上に搭載された電源装置とを具備する。
2007521046.tif 000002
【特許請求の範囲】
【請求項１】
電子装置に電源を供給するためのレセプタクルシステムにおいて、
内部コンパートメントを有するレセプタクルと；
前記電子装置と結合するためのインターフェース手段と；
前記インターフェース手段を介して受信された前記電子装置からの信号を処理するための、前記レセプタクル上の処理手段と；
前記電子装置に電源を供給するための、前記レセプタクル上に搭載された電源手段と；
を具備することを特徴とするレセプタクルシステム。
【請求項２】
前記電源手段が前記レセプタクルに搭載された充電式電池を具備することを特徴とする請求項１記載のシステム。
【請求項３】
前記電源手段が前記電子装置の電池を充電するためのインターフェース手段を介して前記電子装置に接続するため、前記レセプタクル上に搭載された電池充電器を具備することを特徴とする請求項１記載のシステム。
【請求項４】
前記インターフェース手段が前記電子装置に着脱可能な電源充電プラグを具備することを特徴とする請求項１記載のシステム。
【請求項５】
前記レセプタクルの前記内部コンパートメントを照明するための照明手段をさらに具備することを特徴とする請求項１記載のシステム。
【請求項６】
前記アラーム手段の始動によりアラームを発生させるためのアラーム手段をさらに具備することを特徴とする請求項１記載のシステム。
【請求項７】
前記アラーム手段が前記アラーム装置の始動により可聴音を発生する可聴アラーム装置を具備することを特徴とする請求項６記載のシステム。
【請求項８】
前記アラーム手段がトリガーされると可聴音を発生しないサイレントアラーム装置を具備することを特徴とする請求項６記載のシステム。
【請求項９】
前記アラーム装置は、トリガーされると、通信装置上の前記レセプタクル周辺で検出される環境音を送信するための手段を具備することを特徴とする請求項６記載のシステム。
【請求項１０】
前記レセプタクル周辺の音を検出するための前記レセプタクル上に搭載されたマイクロホンをさらに具備することを特徴とする請求項１記載のシステム。
【請求項１１】
前記レセプタクル上に搭載された表示画面をさらに具備することを特徴とする請求項１記載のシステム。
【請求項１２】
前記表示画面が前記レセプタクルの外部に配置され、前記処理手段に動作可能に接続され、且つ前記インターフェース手段を介して前記電子装置に動作可能に接続できることを特徴とする請求項１１記載のシステム。
【請求項１３】
前記レセプタクル上に搭載されたアンテナをさらに具備し、前記アンテナが前記インターフェース手段を介して前記電子装置に動作可能に接続されることを特徴とする請求項１記載のシステム。
【請求項１４】
前記レセプタクルに搭載され、かつ前記処理手段に動作可能に接続された衛星利用全地球測位（ＧＰＳ）受信システムをさらに具備することを特徴とする請求項１記載のシステム。
【請求項１５】
前記レセプタクルに搭載され、前記処理手段に動作可能に接続された通信手段をさらに具備することを特徴とする請求項１記載のシステム。
【請求項１６】
前記レセプタクルに搭載されたバイブレータをさらに具備し、呼び出しを前記電子装置により受信中に前記バイブレータが振動するように前記インターフェース手段を介して前記電子装置に動作可能に接続できることを特徴とする請求項１記載のシステム。
【請求項１７】
前記レセプタクルがキャリングストラップを含み、前記バイブレータが前記キャリングストラップの近傍に配置されることを特徴とする請求項１６記載のシステム。
【請求項１８】
前記レセプタクルが前記充電ベースの近傍に位置決めされると前記電源手段の前記再充電式電池を誘導的に充電するための充電ベースをさらに具備することを特徴とする請求項２記載のシステム。
【請求項１９】
前記電源手段が前記レセプタクル上に搭載された再充電式電池を具備し、前記電源手段が前記電子装置の電池を充電するため前記インターフェースを介して前記電子装置に接続するための前記レセプタクル上に搭載された電池充電器を具備し、前記インターフェースが、
前記電子装置に着脱可能に接続できる電源充電プラグと；
前記レセプタクルの前記内部コンパートメントを照明するための照明装置と；
アラーム手段の始動でアラームを発生するためのアラーム手段であり、前記アラーム手段は前記アラーム装置の始動で可聴音を発生する可聴音アラーム装置を具備し、前記アラーム手段はさらに始動時に可聴音を発生しないサイレントアラーム装置を具備し、且つ前記アラーム手段は始動時に通信装置上の前記レセプタクルの周辺で検出された環境音を伝達する手段を具備するようなアラーム手段と；
前記レセプタクルの周辺の音を検出するための、前記レセプタクル上に搭載されたマイクロホンと；
前記レセプタクル上に搭載され、かつ前記レセプタクルの外部に配置され、かつ前記処理装置に動作可能に接続され、かつ前記インターフェースを介して前記電子装置に動作可能に接続された表示画面と；
前記レセプタクル上に搭載され、かつ前記インターフェースを介して前記電子装置に動作可能に接続されたアンテナと；
前記レセプタクル上に搭載され、前記処理手段に動作可能に接続された衛星利用全地球測位（ＧＰＳ）受信システムと；
前記レセプタクル上に搭載され、かつ前記処理手段に動作可能に接続された通信手段と；
前記レセプタクル上に搭載されたバイブレータであり、前記バイブレータが前記電子装置による呼び出しの受信中に振動するように前記インターフェースを介して前記電子装置に動作可能に接続されるバイブレータであり、かつ前記レセプタクルに含まれる前記キャリングストラップの近傍に配置されているバイブレータと；
前記レセプタクルが充電ベースの近傍に位置決めされると、前記電源手段の前記再充電式電池を誘導的に充電するための充電ベースと；
を具備することを特徴とする請求項１記載のシステム。
【発明の詳細な説明】
【技術分野】
【０００１】
本発明はレセプタクル内又は上に位置する電子装置に電力を供給するための容器、レセプタクル等用の新規な適合可能な電気アクセサリシステムに関する。
【背景技術】
【０００２】
照明される容器の使用は従来技術において知られている。特に、これまで工夫され且つ利用された照明容器は、無数の目的及び要求条件の達成のために開発されたすし詰めの従来技術により取り囲まれた無数の設計にもかかわらず、基本的に見慣れ、予期されかつ自明な構造構成からなることが知られている。
【０００３】
従来技術として米国特許第４，９１２，６１１号、米国特許第４，９７２，３０４号、米国意匠登録第３１５，８３０号、米国特許第４，２６３，９５１号、米国特許第５，２０７，２５４号、および米国特許第３，９７６，８７１号が知られ、参考のためここに記載される。
【発明の開示】
【発明が解決しようとする課題】
【０００４】
これらに点において、本発明による容器、レセプタクル等のための適合可能な電気アクセサリシステムは従来技術の従来の概念及び設計から逸脱しており、そうすることにより、再充電式オンボード電池又は電池類でシステム内に位置し又は取り付けられた電子装置に電源を供給するためおよび取り外し可能な電子装置の電池を再充電するために主に開発された装置を提供する。
【課題を解決するための手段】
【０００５】
従来技術の既知の型の容器の固有の欠点に考慮して、本発明は容器、レセプタクル等のための新規な適合可能な電気アクセサリシステムを提供する。本システムは再充電式オンボード電池又は電池類でレセプタクルを照明するためおよび内部に位置し又は取り付けられた電子装置に電力を供給し、且つ取外し可能な電子装置の電池を再充電するために利用できる。
【０００６】
以下により詳細に説明される本発明の全般的な目的は従来の照明容器の多くの利点および多くの新規な特徴を有する容器、レセプタクル等のための新規な適合可能な電気アクセサリシステムを提供することである。この新規な特徴により、従来技術の照明容器等の単独及びそれらの組合せにより予期されず、自明でなく、示唆されず、または暗示されない容器、レセプタクル等のための新規な適合可能な電気アクセサリシステムになる。
【０００７】
この状態に到達するため、本発明は一般的に電子装置に電力を供給するためのレセプタクルシステムを具備する。本システムは内部コンパートメントを有するレセプタクルと、電子装置と接続するためのインターフェース装置と、インターフェース装置を介して受信される電子装置からの信号を処理する処理装置と、電子装置に電力を供給するためのレセプタクル上に搭載された電源装置とを具備する。
【０００８】
以下の詳細な記載をより理解するためおよび現在の当技術への貢献をより理解するため本発明のより広くより重要な特徴が概説された。以下に述べられ、添付の特許請求の範囲の要旨を形成する本発明のさらなる特徴がある。
【０００９】
この点に関して、本発明の少なくとも１実施例を詳細に説明する前に、本発明が以下の明細書に記載され又は図面に例示された構成の詳細及びコンポーネントの配置への適用に限定されないことを理解すべきである。本発明は他の実施例が可能であり、種々の方法で実施可能である。ここで使用された語法及び専門用語は記載目的のためであり、限定としてみなすべきでないことを理解すべきである。
【００１０】
そのようなものとして、当業者はこの開示が基礎とする概念が本発明のいくつかの目的を実施するための他の構造、方法、及びシステムの設計のための基礎として容易に利用できることを理解するであろう。したがって、本発明の精神及び範囲から逸脱しない範囲で、均等な構成を含むものとして特許請求の範囲を見なすことが重要である。
【００１１】
したがって、本発明の目的はこれまで述べられた容器の多くの利点および単独で又は組合せの従来技術の容器により想定されず、自明でなく、示唆されず、または暗示されない容器、レセプタクル等用の新規な適合可能な電気アクセサリシステムになる多くの新規な特徴を有する容器、レセプタクル等用の新規な適合可能な電気アクセサリシステムを提供することである。
【００１２】
本発明の他の目的は容易に且つ効率的に製造され且つ市販できる容器、レセプタクル等のための新規な適合可能な電気アクセサリシステムを提供することである。
【００１３】
本発明のさらなる目的は耐久性があり、信頼性のある構成からなる容器、レセプタクル等のための新規な適合可能な電気アクセサリシステムを提供することである。
【００１４】
本発明のさらなる目的は材料と労力に関して低製造コストが可能であり、したがって、一般消費者に低販売価格が可能であり、したがって、一般購買者に経済的に入手できる容器、レセプタクル等用の適合可能な電気アクセサリシステムを製造する、レセプタクル等用の新規な適合可能な電気アクセサリシステムを提供することである。
【００１５】
本発明のさらなる他の目的は、従来技術の装置及び方法において、いくつかの利点を提供し、通常関係するいくつかの欠点を同時に克服する、容器、レセプタクル等用の新規な適合可能な電気アクセサリシステムを提供することである
【００１６】
本発明のさらなる他の目的は、再充電式オンボード電池を介してシステム内及び上にある電子装置に電力を供給するための、レセプタクル等用の新規な適合可能な電気アクセサリシステムを提供することである
【００１７】
本発明を特徴付ける種々の新規な特徴と共に本発明の他の目的と共にこれらの目的はこの開示の一部に添付され且つ形成する特許請求の範囲での詳細と共に指摘される。本発明、その動作利点、およびその用途により実現される特定の目的のよりよく理解するため、本発明の図示され、好ましい実施例が示される添付図面と記述的事項を参照すべきである。
【００１８】
本発明はさらによく理解され、以下の詳細な記載が考慮される場合に上述の目的以外の目的が明らかになるであろう。
【発明を実施するための最良の形態】
【００１９】
図面、特に、図１−図３６を参照すると、本発明の原理と概念を実施しかつ全般的に参照番号１０で指定された容器、レセプタクル等のための新規な適合可能な電気アクセサリシステムが記載される。
【００２０】
特に図１−図８を参照すると、本発明１０が（例えば、異なるファッションスタイルを有する）種々の保持装置間のライナー２０の移動を可能にする保持装置１２の内部コンパートメント内に取外し可能に位置決めできるリムーバブルライナー２０を受けるように適合された保持装置１２を具備する。実例の好ましい保持装置はユーザーの体の近くの位置でハンドバッグを支持するためユーザーの肩に位置決めするためのショルダーストラップ１４を有するハンドバッグまたは手さげかばんである。実例のハンドバッグは細長い開口部１８を有する幾分ポケット状のエンクロージャーを形成するため一方向に伸びている。ハンドバッグの形状はハンドバッグを形成する好ましい材料の柔軟な性質により変形し、多数の形状が役立つ。
【００２１】
保持装置１２の内部のライナー２０を解放可能に保持するための固定手段が好ましく設けられる。ハンドバッグ保持装置１２内の位置でライナー２０を保持するための１つの実例の装置１２はライナーの外部に取り付けられた協働ジッパー歯の１組１６と保持装置の内部に取り付けられた協働ジッパー歯の他の組１７を有するジッパーである。
【００２２】
少なくとも１つの光源２６は（図３及び図４に示されるように）ライナー２０内に保持された物を照射するためライナー２０上に固定される。ライナー２０は光源からライナー２０のほぼ全ての部分に光を照らす発光ファイバー２８から最も好ましく構成される。発光ファイバー２８は複数の光ファイバーケーブル又は互いに編まれたファイバー又はフィラメントから構成され、ライナー２０の全域に光を均一に放射するための光源２６に光学的に接続される。
【００２３】
ライナー２０を形成する光学ファイバーフィラメントを点灯するための好ましい光源２６はレーザーに基づく光源２６及び光反射／伝導チューブ２４である。特に、レーザー光源２６と光反射／伝導チューブ２４がハンドバッグ保持装置１２の各長手方向端部に配置される。レーザー光源２６は好ましくはライナー２０の内部の底部コーナー部に配置され、光反射／伝導チューブ２４はライナーコンパートメントの長手方向の端部に沿ってレーザー光源２６から上方に伸びている。レーザ光源２６は反射／伝導チューブ２４と光学的に連通状態にあり、反射／伝導チューブはライナー２０を形成する材料の編みこまれた光学ファイバーフィラメントの端部と光学的に連通状態にある。
【００２４】
光源２６は好ましくはライナー２０上に支持された電源３２に電気的に接続される。好ましい電源はライナー２０のベースに配置され、適当な従来の手段で再充電される再充電式電池ストリップ（条板）３２である。
【００２５】
図３及び図４に示されるように、組合せ電源スイッチ兼調光器２２はライナー２０に固定され、光源２６に供給される電力を変更するため光源２６と電源３２間に電気的に接続される。
【００２６】
図２と図５に示されるように、アラームシステム４０はハンドバッグ保持装置１２に固定されたストラップ１４が（窃盗中の他人によるように）ハンドバッグから切離されるときを検出するためハンドバッグ保持装置１２内に固定される。アラームシステム４０は受入装置１２の長手端部に配置された１対のストラップ端部受入ソケット４４を含み、各ソケット４４はストラップ１４の対向端部の各々に固定された球状ボール４６を受け入れる。各球状ボール４６は（ハンドバッグの携帯者からハンドバッグ受入装置を強制的にはがす窃盗犯によるように）ストラップ１４の強い引張りのみがソケット４４からボール４６が抜けるように締りばめによりストラップ端部受入ソケット４４内に保持される。電気ブザー４２が保持装置１２上に固定され、アラームシステム４０の回路の連続性がストラップ端部受入ソケット４４内に配置されたストラップスイッチ４８の一方で（ボール４６がソケット４４から抜けることにより）完了すると、ブザー４２が自動的に可聴アラームを発生するようにアラームシステム４０に電気的に接続される。
【００２７】
磁気ロックが好ましくは保持装置１２を閉じるため開口部１８の近傍の保持装置１２に固定される。磁気ロックは磁気的にリンクされた第１部分５０と第２部分５２を有する。部分５０、５２はアラームシステム４０を活性化させ且つ保持装置１２がアラームシステムを最初に非活性化することなく開くと可聴音アラームを発生させるアラームシステム４０に電気的に接続される。
【００２８】
アラームシステム４０用の電源３４は好ましくは保持装置１２内で支持される。好ましい電源３４は保持装置１２の内部コンパートメントの底部（に最も好ましく一体化された）に配置された再充電式電池ストリップである。本発明の最も好ましい実施例において、保持装置１２上の構造体と接触するように適合された接触ポスト７２と接触する再充電式電池ベース７０は装置が再充電ベース７２上に置かれるとき電池を再充電するための保持装置１２内の電池ストラップ３４の正極と負極と電通状態にある。
【００２９】
本発明の随意の実施例６０が図６及び図７に示される。オプションの実施例６０は図３に示される保持装置１２に類似した保持装置６２を採用している。ライナー６４は保持装置６２内に取り外し可能に位置決めされるように適合され、ライナー６４はユーザーがライナー６４内に保持されたものをライナー６４の壁を通して観察するのを可能にする透明シート材料から好ましく形成される。
【００３０】
少なくとも１つの電球６６を好ましく備える光源がライナー６４の内部に搭載される。調光器スイッチ６８が電球６６に供給される電力を変更するためにライナー６４上に搭載される。電源スイッチ６７は電球６６をオンオフする手段を提供する。電気コード６９は保持装置６２内に支持された再受電電池３８からライナー６０へ電力を転送する。
【００３１】
図９−図１６及び図１７−図１９に示されるようにまたは本発明の他の実施例でオプションとして内蔵された多くの特徴を示す発明の追加実施例を開示する。
【００３２】
本システムは内部コンパートメント８１を有するレセプタクル８０を含んでいる。レセプタクルは柔軟材料で構成され、ほぼ矩形の底部パネル８３、前面パネル８４、および裏面パネル８５を含む外部容器８２、及び前面パネルと裏面パネルを接続する１対のパネル８６、８７を有する。前面パネル、裏面パネル、および端部パネルが底部パネル、前面、裏面、端部パネルから上方に伸び、開口上部及び内部空間を規定する。柔軟フラップ（垂れ蓋）８９はフラップが外部容器の開口上部を覆うように位置決めされるように外部容器の裏面パネルの上部位置に一体的に結合される。外部容器のフラップはスナップファスナー、ジッパー、フック、及びループファスナー等によりカバー位置に解放可能に固定される。
【００３３】
レセプタクル８０はフレーム９０でレセプタクルの壁を支持し、実質的に丈夫な材料から構成され、ほぼ平坦な矩形構成を有する底部壁９１を含む挿入部と係合するように提供される。底部壁は比較的短い端部と比較的長い壁部を有する。１対の直立の主側壁９２、９３は各々底部壁の１対の短端部の１つに結合された底部端部を有する。主側壁９２、９３は底部壁から上方向に伸びている。１対の直立の二次的側壁９４、９５が提供される。二次的側壁の各々は主側壁の１つの底部端部に結合される底部の広さを有する。二次的側壁の各々は対応する主側壁の底部端部から外方向および上方向に伸びる。二次的側壁の各々は主側壁の１つと離間した平行関係で上方に伸びる上部の広さを有する。
【００３４】
レセプタクルは好ましくはレセプタクル電気アセンブリを含む。図１５及び図２５を参照。レセプタクル電気アセンブリは、充電ベース７０上のレセプタクルの外部容器の配置が第１導電接点を充電ベースの第２導電接点７４、７５と接触するように、外部容器の底部パネル８３を介して露出される少なくとも２つの第１導電接点９６、９７を有する。電源アダプターコネクター９８が携帯電子装置のコネクタに解放可能に接続されるためのフレームの二次的側壁の１つの上部上に取付られる。図１３を参照。レセプタクル電気アセンブリが主側壁の上部端部に位置決めされた１対の導電スリーブ接点９９をさらに含む。
【００３５】
レセプタクルのハンドルアセンブリは外部容器の反対端部パネルに結合された端部を有する柔軟ストラップ１００からなる。１対の強制解放アセンブリ１０１、１０２はもしレセプタクルがユーザーから強制的に取り除かれるとアラームを活性化するために設けられる。強制解放アセンブリの各々はレセプタクルの端部のパネルでストラップ１００の反対端部に接続される。強制解放アセンブリの各々はレセプタクルの端部パネルの１つの上部端部に搭載されたソケットコネクター１０３を含み（図２１を参照）またはフレームの二次的側壁の１つに搭載される（図１３を参照）。強制解放アセンブリの各々はソケットコネクタを解放可能に受止めるボールコネクタ１０４を含む（図１３Ａを参照）。ボールコネクタの各々はソケットコネクタの１つに受止められるほぼ球状の構成の低部範囲を有する。ボールコネクタはストラップ１００の端部の１つに接続されたループを有する上部範囲を有する。強制解放アセンブリはさらにボールコネクタを受止めるソケットコネクタ内の空間を閉じるための保持プレート１０５を備えている。保持プレートはボールコネクタの上部範囲のストラップ接続ループが保持プレートを通過するのを可能にする開口部１０６を有する。保持プレートはストラップとボールコネクタのストラップ接続ループに相当な引っ張り力を加えるとボールコネクタをソケットコネクタから抜けるように適合される。強制解放アセンブリはさらに１対のアラームスイッチ１０８からなり、アラームスイッチの各々は各ソケットコネクタからボールコネクタの１方のはずれでアラーム信号を送信するためのハンドルアセンブリのソケットコネクタの１つの空間に位置している。
【００３６】
状況に応じて、他の型のコネクタ又は“離脱”スイッチが記載されたボール及びソケットコネクタの代わりに設けられる。例えば、多数の型の挿入ピン構造を採用する任意の実施例が図２６−図２９に示される。図２６−図２８は各強制解放アセンブリで１対のピンを採用する類似の構造上の１対の変形例を示す。図２６の構造はクロスバー１５３により共に接続されるピン１５２を採用し、図２７の構造は個別のピンを採用している。各構造において、ピンは適当な方法で柔軟ストリップ１００に固定され、各ピンはレセプタクルに取り付けられたプレート１５４を貫通して伸びる。ピンの各々は第１環状溝を有し、リング１５６はピンの第１環状溝の各々に置かれる。ピンと同様にリングも電気的に導電し、リングは、好ましくは、ピンの１つ又は両方がリングに接続されたワイヤー間の電気的連続を切断し、アラームを始動するように、（例えば、ワイヤ１５５により）アラーム回路にそれぞれ接続される。状況に応じて、プレート１５４は絶縁材料から形成され、ピンがリングから強制的に抜かれると連続性が断絶するように連続性がピンおよびピン搭載構造（例えば、クロスバー）により与えられ、またはピンがリングから強制的に抜かれると連続性が断絶するようにプレートは電気的に導電する。
【００３７】
強制解放アセンブリの他の変形例が図２９に示され、この変形例の構造は環状溝を有する単一のピン１５７と開口部を有するベース部材１５８を採用し、１対のロッド１５９が開口部を横断するほぼ平行な方向に伸びている。ロッドはピンが開口部に挿入されると環状溝に置かれるように共に偏倚され、ロッドの偏りは開口部からピンを取り除きアラームをトリガー（始動）させるようにピンに加えられる実質的な力を要求する。アラーム回路は開口部からピンを除去することにより始動され、トリガー信号が適当な手段により発生する。この強制解放アセンブリの変形例はピンを開口部から引き出すことでロッドを破壊せず、したがって、ピンが無傷の強制解放アセンブリを有するレセプタクルの再使用のため開口部に再度挿入できる点で好ましい。
【００３８】
好ましくは、システムはさらにレセプタクルの内部コンパートメントに取外し可能に位置決めするための挿入部１１０を有する。挿入部は柔軟材料から形成された挿入ケーシング１１１を有する。挿入ケーシングは底部壁パネル１１２、前部壁パネル１１３、裏面壁パネル１１４、および１対の端部壁パネル１１５、１１６を含む。前面、裏面、及び端部壁パネルは挿入部のオープントップおよび内部を規定するための底部壁パネルから上方向に伸びる。挿入ケーシングはオプションとして柔軟挿入ストラップ１１７を含み、挿入ケーシングのオープントップ上に位置決めするための柔軟インサートフラップ１１８を含む。フロント壁パネルと裏面壁パネルは透明材料からなる。状況に応じて、手さげかばんの挿入口の種々の外見は不透明、半透明又は透明である。使用可能な不透明材料は皮、ビニール等である。挿入ケーシングは下記の目的のための底部コンパートメント１２１を有する。
【００３９】
図１０に示されるように、挿入ケーシングの端部壁パネルが本発明の任意のフレームと共に使用するため開口底部端部を有する１対のスリーブ１１９を任意に含む。このようなスリーブは好ましくは全体に関連する端部壁パネルを包囲する。使用時、挿入部はレセプタクルの内部コンパートメントに挿入される。この方向で、挿入ケーシングのスリーブはレセプタクルのフレームの主側壁を取外し可能に受け入れ、二次的側壁は挿入ケーシングの端部壁パネルとレセプタクルの端部パネル間に残る。図１３を参照。
【００４０】
挿入電気アセンブリも挿入部のために設けられ、挿入部に取り付けられる。挿入電気アセンブリ１２０は好ましくは挿入ケーシングの底部コンパートメント１２１内に搭載される。挿入電気アセンブリは活性化で所定の時間に活性信号を発生するためのタイマー機構１２２を有する（図２５参照）。ボタンは挿入部に配置可能であり、ボタンを押下するとタイマー機構を活性化するためのタイマー機構に接続される。電源１２３は挿入部の照明源およびアラーム装置を含むレセプタクル上の回路に電力を供給するための挿入部に設けられる。電源は挿入ケーシング上に搭載された少なくとも１つの電池からなる。図１３の実施例において、電池は挿入部がレセプタクル内に位置決めされると挿入電気アセンブリをレセプタクル電気アセンブリに電気的に接続するためのレセプタクルフレーム上の１対の導電スリーブ接点９９に接続される。電池は充電ベースからの電力が電池を再充電するためのレセプタクルを介して電池に供給される期間にレセプタクルが充電ベース上におかれる第１モードを有し、レセプタクルに置かれた電気装置を再充電するための電力適合装置に供給される。電池はレセプタクルが充電ベースから除去される第２モードを有し、第２モード中、電池がレセプタクル電気アセンブリ１２４（例えば、アラーム装置）および挿入電気アセンブリ１２０（例えば、照明装置）に電力を供給し、且つ電池は電力アダプターコネクターを介して電力を電気装置１５０に供給する。
【００４１】
照明装置は挿入部を照明するため挿入部に取付られる。照明装置は光源であり、ある実施例では、光拡散装置である。光拡散装置は光源と連通する少なくとも１つの照明ライナーパネル１３１、１３２を含んでいる。ライナーパネル又は複数のパネルが好ましくは挿入ケーシングの端部壁パネルの内部表面に並んでいる。オプションとして、ライナーパネルは複数の光ファイバー繊維を含む光拡散構造体からなる。光ファイバー繊維は好ましくはファイバー構造を規定するため光ファイバー繊維のマトリクスに織り交ぜられる。光ファイバー繊維の端部がクランプにより共に束ねられる。光源は繊維を点灯するため光ファイバーライナーパネルの光ファイバー繊維の端部の近傍に位置決めされる。
【００４２】
ユーザーの願望で上記に述べられるものの代わりに、種々の他の光ファイバーライナーが採用できることを理解すべきである。適当な光ファイバー材料がルミテックス・コーポレーション（Ｌｕｍｉｔｅｘ  Ｃｏｒｐ．）からのように市場で容易に入手できる。さらに、オプションとして、ケミイルミネセンス、蛍光、白熱、レーザー、ＬＥＤ、赤外線、又は他の光波長、又はユーザーがレセプタクルの内部で見るのを助ける他の型の光を採用している装置のような、他の型の照明装置が採用できる。より好ましくは、ライナーパネルは光源と光拡散構造を提供するエレクトロルミネセンス材料のパネルからなる。
【００４３】
タイマー機構１２２がスイッチの閉状態で所定期間で照明装置を点灯させるための挿入部に設けられる。照明装置はタイマー機構に接続され、タイマー機構の活性後にタイマー機構によりある期間電力を供給される。タイマー機構はタイマー機構の活性後（例えば、１５−３０秒の期間のような）所定期間だけ照明装置を点灯するために適合される。図１６参照。オプションとして、例えばダイアル付のボタン状のスイッチ又は他の適切な機構がタイマーをバイパスして電源オン／オフ機能を提供するために採用できる。
【００４４】
オプションの充電装置が電池を再充電するための電源または電池に電力供給するために設けられる。図２３参照。充電装置がレセプタクルを介してライナー（又はレセプタクル）の電池を再充電するための電力を提供する。レセプタクルは充電装置上に取外し可能に取り付けられる。充電装置はレセプタクルの第１の導電接点を電気的に接触させるための充電ベース上に取り付けられた少なくとも２つの第２導電接点７４、７５を有する充電ベース７０からなる。第２導電接点は充電ベースの上部表面上に搭載される。オプションとして、充電ライト１２６が充電ベース上に取り付けられ、導電接点と主電源間に接続される。充電ライトは導電接点を流れる電流で点灯する。フル充電ライト１２７が充電ベース上に取り付けられ、電池のフル充電状態が検出されると点灯する。レセプタクルと充電ベース間の電気通信が相補的なスロットとポストのような構造を連動させることにより作用し、平坦表面のような顕著な輪郭のない表面にレセプタクルと充電ベース上に採用できることを理解すべきである。
【００４５】
物理的電気接点が充電ベースを使用して電池の再充電を実施するため上記に開示されたが、他の型の電気通信が再充電のために利用できることを理解すべきである。例えば、コイルとポストの組合せが誘導電気通信を提供するために設けられる。オプションとして、電池が充電装置を使用するのと対照的に車両で再充電されるように、シガレットライターコードとプラグが電源アダプター装置のアダプターコネクターに接続される。
【００４６】
本発明のシステムはアラーム装置１３５の始動で可聴音を発生するためのアラーム装置を含む。アラーム装置はレセプタクル上に取り付けられる。アラーム装置は挿入部の電源又は電池、又は、特に、もし挿入部が採用されなければ、レセプタクルに含まれる電池に電気的に接続される。アラーム装置は、トリガーされると、大きな音を発生するためのサイレン１３６を含む。サイレンがレセプタクル上に、好ましくは、レセプタクルの底部パネル上に取り付けられる。アラーム装置は少なくとも２つの方法でトリガー（始動）される。アラーム装置はレセプタクルの強制解放アセンブリ１０１、１０２の１つに取り付けられたストラップを取るとトリガーされる。アラーム活性化スイッチ１３７はレセプタクルの底部パネルに搭載され、活性化されると、アラーム装置をトリガーされる。オプションとして、サイレンが凹部１３８内又はレセプタクルの底部パネルの凹部内の中央に配置され、１つ又は複数のアラーム活性化スイッチが凹部の周辺内又はその近傍に位置決めされる。
【００４７】
ポケット１４０がユーザーにより携帯が望まれる電気装置を取り外し可能に受けるために設けられる。好ましくは、ポケットはレセプタクルの内部コンパートメントに配置され、レセプタクルのパネルの１つに形成される（図１９参照）。オプションとして、ポケットは種々の後述の電子装置を取外し可能に受けるため挿入部（図１２参照）に形成される。
【００４８】
注目すべきは、もしレセプタクルを設ければポケット内でのようにレセプタクル内で支持される電気装置に電力を供給するための電源適合装置が設けられる。電源適合装置はレセプタクル上に取り付けられ、ライナー上に取り付けられた電源又は電池に接続される。アダプターコネクター９８はレセプタクル上に置かれ、ポケット内に位置決めされた電気装置を係合するためポケットに置かれる。１実施例において、アダプターコネクター１４８はポケット内で電子装置を単に滑らせることにより電子装置に解放可能に接続される（図２１参照）。これはストリップ接点等で達成される。理想的には、ユニバーサル再充電アダプターが複数の電子装置のいずれにも接続できる。
【００４９】
アダプターコネクターはオプションとしてレセプタクル上の他の位置に設けられ、レセプタクルの外部上にも設けられる。例えば、プラグインパワーアダプターは携帯電子装置１５０と電気的につながるように解放可能に接続されるため二次的側壁（図１３参照）の１つの上端部に搭載可能である。携帯電子装置は携帯電話、呼び出し装置、計算機、携帯コンピューティング装置、ビデオゲーム、又は挿入部の電池により供給される電力を使用しまたはレセプタクルが再充電ベース７０上に置かれるとレセプタクルのための電気システムの電池で同時に再充電される自身の再充電式電池を含む他の型の電気駆動装置からなる。
【００５０】
充電状態指示ライト１２８は低充電状態が挿入部又はレセプタクルの電池で検出されると点灯するためのレセプタクルまたは挿入部上に設けられる。
【００５１】
電池の充電中にレセプタクルから挿入部の電池におよび挿入部からアラームシステムに電力を供給するためのレセプタクルに電力を伝達するため、本発明の１つのオプショナル実施例はレセプタクルの外部容器上のコネクタ表面１４１および挿入部の挿入ケーシングから伸びるタブ１４２を有する。挿入部のタブは挿入部がレセプタクルの内部に位置するときレセプタクルのコネクタ表面１４１のほぼ近傍で且つと平行に位置決めされる。図１９を参照。コネクタ表面１４１はそこに搭載された第１コネクタの第１部分１４３を有し、第２タブは第１コネクタの第２部分１４４を有し、第１コネクタの部分は互いに取外し可能に接続できる。第１コネクタの第１及び第２部分はこの領域が物理的に接続されると電気が第１コネクタの第１部分及び第２部分間に流れるのを可能にするように電気的に導体である。第１コネクタの第１及び第２部分はスナップコネクタの第１及び第２半部からなる。コネクタ表面１４１もそこに搭載された第２コネクタの第２部分１４５を有し、第２タブは第２コネクタの第２部分１４６を有し、第２コネクタの部分は互いに取外し可能に接続できる。第２コネクタの第１及び第２部分は領域が物理的に接続されると第２コネクタの第１及び第２部分間に電気が流れるのを可能にするように電気的に導体である。第１コネクタの第１領域と第２コネクタの第２領域はそれぞれレセプタクル電気アセンブリ（例えば、アラームアセンブリ）と電気的に導通する。第１コネクタの第２領域と第２コネクタの第２領域はそれぞれ挿入電気アセンブリ（例えば、電池および照明アセンブリ）と電気的に導通する。
【００５２】
（例えば、プッシュボタンのような）スイッチ１２５は所定の期間照明装置を点灯するためのタイマー機構を活性化するための挿入ケーシングの第２タブ上にオプションとして取り付けられる。
【００５３】
オプションとして、挿入ケーシングはオープントップを閉じる上部壁パネル１４７が設けられる。上部壁パネルは前部及び後部壁パネルにほぼ平行に伸びる閉鎖可能なスリットを有する。図１８及び図２０を参照。
【００５４】
さらに詳細において、タイマー機構の１実施例（図１６参照）は好ましくはリレーを駆動するＮＰＮトランジスタに接続される出力を有する５５５タイマーを含む。このようなリレーは充分な電圧を光源に供給するための光源に接続される。理想的には、手さげかばんの挿入口及びキャリッジの電気アセンブリのコンポーネントの各々は小型化され、最小重量である。さらに、オプションとして、調光器がランプ及び光学ファイバーライナーを照明する強度を制御するために設けられる。このような調光器は図１６に示される抵抗器の１つに変わって使用されるポテンショメーターの形状を有する。
【００５５】
種々の変形実施例において、レセプタクルと挿入部の概念は旅行かばん、ビニール袋、水密スキューババッグ、軍用＆キャンピングリュックサック、汎用バックパック、緊急医療器具容器、緊急消火器具容器、警察器具容器、ＮＡＳＡシャトルおよび宇宙基地用工具、および緊急品目収納袋、地下施設および鉱山用袋、配管工具収納袋、又は実質的にどのような他のレセプタクルの技術にも採用できる。本発明の種々のコンポーネントがより簡単な設計を提供するための単一のレセプタクルにまとめられることをさらに留意されるべきである。
【００５６】
本発明の可能性のある実施例は構造から削除された本発明の挿入部およびレセプタクル上又は内に組み込まれた挿入部の種々の特徴を有することが理解される。取り外し可能な挿入部を欠く本発明の実施例は挿入部の接点を含む異なるレセプタクル間の挿入部の特徴（例えば、照明装置）がすばやく且つ容易に動かせないことを留意すべきである。挿入部は照明装置、（もしライナーに含まれていると）電池、及び種々のレセプタクル間のライナーの接点のすばやく容易な交換を可能にする。それにもかかわらず、挿入部の特徴のいくつか又は全てをレセプタクル又は容器に容易に組み込みできる。
【００５７】
レセプタクルが挿入部の無い状態で採用される本発明の１実施例が図３０−図３５に図示される。本実施例は装置コネクターを介して電子装置に電力を供給するための適合可能な電気アクセサリシステムを有するレセプタクルを含む。
【００５８】
レセプタクル２００は底部パネル部分２０４と、前面パネル部分２０４は底面パネル部分から上方向に伸びる対向する前面パネル部分２０６と裏面パネル部分２０８と、底部パネル部分から上方向に伸びかつ前部パネル部分と裏面パネル部分間に伸びる対向する端部パネル部分２１０、２１２とにより規定される内部コンパートメント２０２を有する。レセプタクルは上部開口部２１４を有し、前面及び裏面パネル部分の１方から延びるフラップクロージャー２１６を含む。ストラップ２１８はユーザーの肩でレセプタクルを支持するために設けられ、レセプタクルの端部パネル部分に取り付けられた対向端部を有する。
【００５９】
ケース２２０はレセプタクル上に設けられ、好ましくは、レセプタクルの内部コンパートメントに配置されるが、レセプタクルの底部パネル部分の近傍に必ずしも配置されない。
【００６０】
照明アセンブリはレセプタクルの内部コンパートメントを照明するために設けられる（図３４を参照）。照明アセンブリは、２つ以下又は以上のパネルが採用されるが、レセプタクル上に搭載された１対の照明パネル２２２、２２４を具備する。好ましくは、照明パネル２２２、２２４は、互いに向き合うように、レセプタクルの内部コンパートメントで対向関係に位置決めされる。照明パネル２２２、２２４がエレクトロルミネセンスパネルから構成できる。照明アセンブリは照明パネル２２２、２２４の照明を制御するための照明駆動回路２２６を含む。照明駆動回路２２６は、例えば、エレクトロルミネセンスパネルを点灯するのに適する高電圧交流出力を発生するインバーターを含む。スイッチ２２８は照明パネルを点灯させるために設けられ、照明駆動回路２２６に動作可能に接続される。スイッチ２２８はレセプタクルの内部コンパートメント２０２に配置され、レセプタクルの上部開口部２１４の近傍に配置される。オプションとして、スイッチ２２８は、アラームシステムを有効及び無効にするような、制御器とアラームシステムの動作モードを制御するためのプログラムモードスイッチとして機能する。モードの変更は、例えば、所定期間内のユーザーによるスイッチ２２８の繰り返し動作により達成される。
【００６１】
電源アセンブリが時々にレセプタクルに入れて携帯される電子装置に電力を供給するために含まれる。この電源アセンブリは電子装置を動作させ、電子装置内の電池を充電するための電子装置に電力を供給するため電子装置の電源入力に取外し可能に接続するアクセサリ電源コネクター２３０から成る。アクセサリ電源コネクターはレセプタクルに入れて携帯されることが望まれる特有の装置につなぐために適切な型からなる。コネクターの１つの型はシガレットライターに挿入するように設計されたプラグを受入れ、低電圧電源コネクター用の比較的標準化されたコネクターになるジャックである。他のより特化されたまたは専用のコネクターも携帯セルラー電話に直接接続するように設計されたコネクターのようなアクセサリ電源コネクターとして採用できる。オプションとして、レセプタクルはケースのような装置に取外し可能に接続される１つの型以上のコネクターが設けられるので、ユーザーは充電用のレセプタクルに入れて携帯される電子装置に必要とされる適切な型のコネクターを選択できる。さらなるオプションとして、複数のアクセサリ電源コネクターはレセプタクルに入れて携帯される電子装置を同時に充電し又は動作させるために同時に接続できる。ワイヤーはアクセサリ電源コネクターをケースに接続するために提供され、オプションとして、ワイヤーはケースに取り外し可能に接続されるコネクターを含む。
【００６２】
電源アセンブリは照明アセンブリと電源アセンブリに電力を供給するために設けられる。電源アセンブリは再充電式電池のような電池２３２からなる。電源アセンブリは電池２３２を充電するための電池充電装置２３４からなる。電源アセンブリは電池充電装置２３４に電力を供給するため外部電源（図示せず）に結合するための電源充電ジャック２３６を含む。電源充電ジャック２３６はレセプタクルの外部から電源充電ジャックへのアクセスを可能にする方法でレセプタクル上に搭載される（図３０参照）。電源充電ジャックはレセプタクルの底部パネル部分の近傍に配置され、かつレセプタクルの底部コーナーの近くであるようにレセプタクルの端部パネル部分２１０、２１２の１つに搭載される。電源アセンブリは電池により供給される電圧を、例えば、アクセサリ電源コネクタージャックに取り外し可能に接続される電子装置のために、及び、オプションとして、本発明のシステムの他のコンポーネントのために好適な出力電圧に変換するための、ブースターコンバーターのような、コンバーター２３８を含む。電源アセンブリは電池に且つ電源アセンブリに電力を同時に且つ順次に供給する。オプションとして、活性化されると、電池により供給される電力から本発明の全てのシステム及び構成を切離するキルスイッチ（図示せず）が設けられる。
【００６３】
アラームアセンブリはユーザーが誰かに脅されていると感じているときのようなユーザーが自身に注意を引き付けたいときユーザーにより活性化される可聴アラームを与えるために設けられる。アラームアセンブリは可聴アラームを発生するサイレン２４０を含む。サイレン２４０はすぐ近くの人により聞かれるサイレンの音量を最大にするためレセプタクルのパネル部分の一つを介してレセプタクルの外部に対して可聴アラームを向けるように適合される。サイレン２４０は可聴アラームが底部パネル部分を介して底部からレセプタクルの外部に向けられるようにレセプタクルの底部に配置される。サイレン２４０はレセプタクルの底部を介して音を方向付けるためのケース上に取り付けられる。
【００６４】
アラームアセンブリはアラームアセンブリを活性化するための活性化スイッチ２４２を含んでいる。活性化スイッチ２４２はレセプタクルの底部パネル部分を介してアクセス可能であり、レセプタクル上のサイレンの近傍に配置される。活性化スイッチ２４２はケース上に取り付けられたボタンからなり、ボタンはサイレンの近傍に配置される。一旦始動されると、アラーム音は所定期間（又は所定の回数）だけ活性化スイッチを押すことにより任意に遮断できる。
【００６５】
制御器アセンブリは照明アセンブリとアラームアセンブリの動作を制御するために設けられる。制御器アセンブリは照明アセンブリとアラームアセンブリに動作可能に接続される制御器２４４からなる。制御器は照明アセンブリの照明機能を含む本発明の種々の機能の期間を制御するためのタイミング機能を実施するように適切にプログラムされる。期間制御器は入力をモニターでき且つ１つ又は複数の入力に応答して１つ又は複数の工程または動作を実行できる任意の装置又は回路を含むことを意図していることを理解すべきである。例示の制御装置はマイクロコントローラ回路及びマイクロプロセッサ回路を含む。制御器アセンブリはまた電池２３２の電気充電量を示すための充電指示手段を含み、電源アセンブリにつながる電池に保持される充電量（又は、により引き出される電流）を検出するように適合される。制御装置は装置により電流がほとんど導出されない場合に充電を中断し、電池に残る電荷量がフル充電以下であることを検出すると充電を再開する。充電指示手段は１対の照明指示器２４６および２４８からなる。照明指示器２４６、２４８は照明パネル２２２、２２４の１つに取り付けられる。照明指示器の第１指示器２４６は電池がフル充電されると点灯し、第２指示器２４８は電池２３２の電気充電が低充電または、任意には、それ以下であると点灯する。さらに、使用可能状態又は使用不可能状態のようなアラームシステムの現在の動作状態を示すアラーム状態指示器２４５は採用される。例えば、アラームシステムの使用不可能状態はアラーム状態指示器２４５の点滅で示され、使用可能状態は指示器の非点灯で示される。
【００６６】
図３６に示される本発明のさらなる実施例は本発明の複数の追加のオプショナルな特徴を含むレセプタクル３００を含む。レセプタクル３００は（ポケット１４０に位置決めされた格納台内でのように）その内部又は外部で電源として再充電式電池を含む電子装置３０１を受入れるように構成される。ここで記載されるレセプタクル３００の特徴の多くは携帯電話、ページャー、送受信兼用無線機のような電子通信装置、又は携帯端末（ＰＤＡ）および小型コンピューティング装置のような無線通信技術を使用する他の装置で特に有益である。レセプタクル３００は以下により詳細に説明されるレセプタクルの種々の動作及び機能を取り扱い且つ調整するための（中央処理装置又はマイクロプロセッサ３０２のような）処理手段を含む。相互に排除される場合を除いて、種々の実施例の特徴は要望通りに且つ開示の意図した範囲内に留まるように組合せ可能であることに留意すべきである。
【００６７】
レセプタクル３００の１実施例において、レセプタクル３００の底面は１又はそれ以上の基部（図示せず）を有し、レセプタクル上に取り付けられた電池２０４を充電するための電気充電ベースの電気接点と物理的接触及び電気的導電接続を形成するために電気的に導電する。充電ベースは、接点が充電ベースの上部表面の大部分にわたって配置された状態で、特別な接点の位置決めを必要とせずに充電ベース上に設定するため、種々のサイズのレセプタクルを考慮するように設計される。
【００６８】
この明細書で初めに説明された誘導充電ベース（台）に関して、適切な誘導充電ベース３０４はレセプタクルが、電気導体により電池を充電ベースに物理的に位置合せし接続することなく、１つ又は複数の電池を誘導的に充電するために載置される平坦上部表面を所有できることを理解すべきである。オプションとして、レセプタクル３００は１つ以上の電池３０８、３０９を含むので、各電池はシステムの１つ又は複数の機能に特化でき、１つの電池の故障がシステムの全機能の損失を引き起こさない。電池３０８、３０９の各々は自身の専用電池レベル状態指示器を所有できる。
【００６９】
レセプタクル３００において、追加の照明パネル３１０がレセプタクルの端部パネル上の１対の照明パネル３１２、３１３と同様にレセプタクルの内部に使用される。オプションとして、照明パネル３１４（又はオプションとして、１つ以上の照明パネル）がレセプタクル３００の外部に配置され、レセプタクルの内部で照明パネル３１０、３１２、３１３を別々に点灯できる。電源（又はオン／オフ）スイッチ３０６がレセプタクル３００の内部及び外部の照明パネルを活性化し及び非活性化するように設けられる。
【００７０】
さらなるオプションとして、本発明は、装置の電池が充電されない場合又はレセプタクル３００の電池又は電源から直接電気装置を動作させたい場合に、電気装置にダイレクト又はバックアップ電力を供給するための電池充電を要求するレセプタクルに付随する種々の電子装置に接続可能である電池充電電源コード３１６を有する。電源コード３１６はユニバーサルプラグを有し、多数の異なる型及びブランドの装置を接続するのに適する取外し可能で互換性のある一組のプラグで使用可能である。電池充電コード３１６はコード３１６を単に引っ張ることでコードの巻き戻しを可能にする自動退行兼自動制動機構に取付可能である。電源コード３１６はレセプタクル３００上のコンパートメントに配置されたスプールからバネ張力により繰り出され、自動制動機構はコードがスプールから引き出されるときバネ張力を自動的に制動させる。オプションとして、電源コード及びスプール用の手動制動兼解放機構を採用する手動システムも使用できる。
【００７１】
さらなるオプションとして、退行可能電源コード３１９がレセプタクル３００の種々のシステム及び電源又は（再充電式）電池に電力を供給するために提供される。この退行可能電源コードの１実施例において、電源コードの端部は（電流及び電圧で実施される適切な調整で）家庭用電流レセプタクルに接続するための標準家庭用電流プラグからなる。レセプタクルは従来の家庭用レセプタクルに挿し込むために設計された（充電スタンド又は格納台のような）種々の装置のためのプラグを受けるための１、２、又はそれ以上の家庭用電流レセプタクルを有するレセプタクルの内部にケーブルタップを有する。ケーブルタップを通る電力の流れは接続された装置又はレセプタクルの回路に損傷を与える過負荷や出力スパイクに対して保護する種々の電流電圧制御装置に影響を受ける。ケーブルタップのプラグレセプタクルは従来のプラグがレセプタクルの使用国で使用されるものは何でも受入るように適合される。オプションとして、レセプタクル３００はケーブルタップに接続できる比較的ユニバーサルな部分を含む２点格納台と、ユニバーサルな部分に一致し、装置の電源入力と接続するために調整された特化部分が設けられる。この特化部分は新しく又は異なる装置がレセプタクル３００と共に使用される場合ユニバーサル部分で置換できる。
【００７２】
オプションとして、アラーム状態指示器２４５および照明指示器２４６、２４８のような状態アイコンがレセプタクルの内部又は外部の何れかにオプションとして配置される。状態アイコンはレセプタクルのシステム又は接続され又は付随する装置の何れかの動作（又は非動作）状態を示す。
【００７３】
ポケット１４０のような電子装置を受ける本発明のクレードルまたはポケットはレセプタクルの内部（例えば、図１２を参照）又はレセプタクルの外部に配置される。同様に、アダプターコネクター１４８および２０３のような電源コネクターはレセプタクルの図２１に示されるような内部又は外部に配置される。
【００７４】
さらに他のオプションとして、レセプタクル３００はレセプタクルの内部又は外部に配置される（以後“ディスプレイ”または“表示画面”と称す）システムアクセスビュースクリーン装置３２０を含む。表示画面は好ましくは比較的軽量で薄く、レセプタクルの壁に適合するように比較的柔軟である。表示画面上に画像を発生させる（マイクロプロセッサ３０２や他の専用ビデオドライバチップのような）回路は、電子装置３０１自身の表示画面上に表示される画面及び情報と同一又は類似である画面を表示装置上に発生するため、電子装置と結合するように適合される。レセプタクル３００（及びオプションとしてレセプタクルに付随する電子装置）のシステム用の状態情報はディスプレイ上に表示され、又は（もしそのように提供されると）レセプタクル３００の他の表示画面上にオプションとして表示される。さらなるオプションとして、ディスプレイ３２０は情報をシステムに入力するためにユーザーの指又はスタイラスのタッチにより活性化されるようにタッチセンシティブである。オプションとして、表示画面３２０は音声で活性化され、このような方法で入力を受け入れる。さらなるオプションとして、表示画面３２０は赤外線伝送による無線で命令を受信するように適合される。表示画面３２０はレセプタクルの種々のシステム及びレセプタクルに付随する電子装置の機能に関してユーザーからの入力を受入可能である。レセプタクル上の（ボタン及びスイッチのような）制御装置の数はレセプタクルの種々の機能を活性化し且つ非活性化するため表示画面３２０を使用して減らせる。
【００７５】
ディスプレイ３２０はレセプタクル３００上にほぼ永久的に取り付けられ、又は１つ又は複数のディスプレイがレセプタクルから取り外しでき、レセプタクルと分離して動作可能である。着脱可能な表示画面３２０はアンテナ、マイクロホン、およびスピーカを含み、表示画面が個別の通信装置として機能する。表示画面３２０はコンピューティング装置のネットワークのコンピューティング装置とのインターフェースとして作用する。表示画面はまたユニバーサル・シリアル・バス（ＵＳＢ）、ファイヤーワイヤ、又は開発される今まで知られている他のポートを使用するワイヤードポートを含む。表示画面の種々の機能が表示画面上のマイクロホンを使用してユーザーにより音声的に活性化される。表示画面３２０は表示画面がレセプタクルから分離されるときシステムに電力を供給するための（再充電式電池のような）自身の専用電源を含んでおり、その電源はレセプタクルの電源から再充電される。
【００７６】
さらなるオプションとして、レセプタクル３００はレセプタクルのユーザーが自身の位置を見つけるのを支援するためレセプタクルの現在位置を表示する全地球測位システム（ＧＰＳ）受信機システム３２２を内蔵する。現在位置、高度等のような、ＧＰＳ受信機システム３２２により発生する情報はディスプレイ３２０上に表示される。レセプタクル３００はシステム回路に対するＧＰＳ信号を受信するためＧＰＳ受信機システム３２２の回路と通信状態のアンテナ３２４が備わっている。オプションとして、アンテナ３２４は上記の電源コード３１６に内蔵される。
【００７７】
アンテナ２５はレセプタクル３００に配置された無線通信装置３０１に接続可能である。アンテナ３２５は信号監視兼信号昇圧装置（図示せず）と連動して作用する。信号はアンテナ３２５により受信され、マイクロ波放射を減衰させ又は完全に除去する信号監視兼信号昇圧装置を通過する。オプションとして、アンテナ３２５からの信号は、受信信号を通信装置に送信するための他の手段が採用できるが、バックアップ電源コード３１６を通して通信装置３０１に送信される。
【００７８】
オン／オフ電源スイッチ３２６はレセプタクル電池から電源コネクターに接続された電子装置への電池電力の流れを制御するために設けられる。ボタンのように実施されるスイッチ３２６は電子装置が充分に充電されるまで主レセプタクル電池から電力を自動的に引き出すかどうかをユーザーが選択するのを可能にし、又は主レセプタクル電池の電力は電源用の主レセプタクル電池に依存するライトや他のシステムのような他の目的のための主レセプタクル電池の電力を保存するため電子装置の電池を再充電するのを防止される。オプションとして、スイッチ３２６はレセプタクル３００の全システムがスイッチを無効にする外部電源からの再充電中に電子装置３０１の再充電に影響を及ぼさない。
【００７９】
さらなるオプションとして、（発光ダイオードのような）外部指示器ライト３２８はレセプタクル３００の外部に配置され、電話呼び出しがレセプタクルに配置された電子通信装置により受信中および通信装置のリンガーがターンオフ又はオン状態を維持する可視アラームをレセプタクル３００のユーザーに提供するために点滅する。指示器手段はオプションとして表示画面３２０上に示される。
【００８０】
オプションとして、レセプタクル３００は１つ又は複数のスピーカ３３０を有し、マイクロホン３３２を有する。ジャック３３４はレセプタクルに配置された電子通信装置３０１の出力をアクセスするためのヘッドホン（図示せず）のような装置からのプラグを受けるためのレセプタクル３００の外部に設けられる。１実施例において、ヘッドホンがジャック３３４に差し込まれると、外部スピーカ３３０とマイクロホン３３２が非活性化される。オプションとして、もし無線ヘッドホンアセンブリが使用されていると、スピーカ３３０とマイクロホン３３２は同様に非活性化される。
【００８１】
レセプタクル３００はレセプタクル内のクレードルに載置されレセプタクルのマイクロプロセッサ３０２に接続された通信装置３０１により受信された着信呼のレセプタクルのユーザーに警報を発するためレセプタクルの少なくとも一部を振動させるための振動装置３３６を含んでいる。振動装置３３６は通信装置３０１のリンガーが動作可能かどうかを実施可能にする。１実施例において、振動装置３３６は振動装置３３６の振動運動をレセプタクルに伝達するためレセプタクル３００のストラップに結合される。オプションとして、振動装置３３６はレセプタクル３００のストラップの近傍に配置される。振動装置３３６は自身の専用のスイッチを有し、システム又は振動装置の多くの機能を制御するスイッチ又は制御装置に接続される。
【００８２】
本発明の１実施例において、汎用スイッチ（図示せず）が種々のコンポーネント又はレセプタクルのシステムを動作させるためのレセプタクル３００上に設けられる。オプションとして、スイッチはユーザーにレセプタクルの内部に達することを要求することなくレセプタクル３００の外部から操作される。
【００８３】
もしレセプタクルがそのように構成されると、レセプタクル３００上に取り付けられた外部スピーカ３３０、マイクロホン３３２、および表示画面３２０は通信装置がレセプタクルに付随される（又は接続される）と電気通信装置３０１に電気的に接続できる。ユーザーは、レセプタクル３００の内部又はレセプタクル上のポケットから通信装置を取外すことなく、通信装置３０１で所謂“ハンドフリー”会話を行える。呼び出し呼を取り上げる前に、ユーザーは、レセプタクル３００から通信装置３０１を取外すことなく、表示画面３２０上で発信者（又は、発信者が呼び出す番号）の認識を表示できる。さらに、もし通信装置３０１が音声活性化ダイアル機能を有すると、ユーザーはレセプタクル３００から通信装置を取外すことなくマイクロホン３３２を使用してこの機能を利用できる。
【００８４】
オプションとして、レセプタクル３００は、それぞれレセプタクルに取付られたパニックスイッチ３３８又はボタンにより始動できる、サイレントアラームシステムおよび／又は可聴警報システムを有する。サイレント及び可聴アラームシステムはトリガーボタンの操作で（システム９１１のような）緊急支援サービスに対する呼び出しを起動でき、マイクロホンはアラームシステムにより使用でき、アラームの１つがトリガーされると通信ラインでレセプタクルの周囲に生じる音を検出し支援サービスに伝達する。同様に、ＧＰＳ受信システム３２２はアラームの１つが起動すると通信ラインでレセプタクル３００の位置情報を送信するために活性化される。可聴アラームシステムが始動され、サイレントアラームシステムがスピーカにより可聴音を始動しなければ、可聴アラームシステムはスピーカ３３０又はサイレン３４２から音を発生させることを理解すべきである。
【００８５】
オプションとして、通信回路３４０は通信回路をレセプタクルのシステムの他の回路に含めることによりレセプタクル３００に一体化できおよび不可分にできる。このように取り付けられたレセプタクルは通信装置がレセプタクルに接続されない場合でもアラームが始動されると、レセプタクルのシステムのサイレント及び可聴アラームの緊急支援サービスへの通話を可能にする。集積化された通信回路３４０はアラームが始動されるとレセプタクル３００の位置を同定するためのＧＰＳ受信システム３２２と、且つアラームの始動で緊急支援サービスにこれらの音を始動し送信するとレセプタクルの環境音を検出するためのレセプタクル上の外部マイクロホン３３２と連動して動作する。
【００８６】
状態ライト指示器３４４はクレードル又はポケットの近傍であるようなレセプタクル３００上に配置され、且つ完全な接続が取外し可能な電子装置回路およびレセプタクルの回路間に確立されたことを示すため所定期間オンになる。
【００８７】
オプションとして、アイコン３４６はリンガー又は他の可聴警告がレセプタクルに接続された電子通信装置３０１上で使用可能又は使用不可能になるかをユーザーに示すレセプタクル３００上に設けられる。アイコン３４６は表示画面３２０上に表示され、例えば、通信装置がレセプタクル内に位置決めされるようにレセプタクルに接続される場合電子通信装置３０１のリンガーがオフ又は使用不可になることを確認するために点滅する。アイコン３４６は通信装置のリンガーが動作可能である場合連続的に表示される。オプションとして、個別のアイコンがレセプタクル３００の種々のシステムの状態を示すために使用できる。
【００８８】
さらなるオプションとして、ユニバーサル・シリアル・バスＵＳＢポート３４８は接続された電子装置３０１に電力を供給するため、又はもしレセプタクルにマイクロプロセッサ３０２のような処理又はメモリ回路が設けられると情報の転送のためにレセプタクル３００に設けられる。さらなるオプションとして、レセプタクル３００にワイヤードテレホンジャックが設けられる（図３６を参照）。
【００８９】
さらなるオプションとして、レセプタクル３００のシステムの回路はレセプタクルの低い場所に位置決めされ、比較的丈夫で又は柔らかで柔軟な入れ物に収納される。
【００９０】
オプションとして、前述の実施例に示されるライナーはレセプタクル３００に含まれ、レセプタクル３００の任意の又は全ての特徴を有する。
【００９１】
オプションとして、上述のスイッチ類及び制御装置の何れか又は全てがレセプタクル３００の内部又は外部に配置され、（永久設定又は調整可能な）有限期間又は連続的に点灯又は消灯できる。同様に、全てのジャックおよび接続構造はレセプタクル３００の内部又は外部に配置できる。
【００９２】
上述の記載に関して、サイズ、材料、形状、形態、機能、および動作、アセンブリ及び使用方法を含む、本発明の部分の最適な次元の関係が当業者にとって容易に明らかで且つ自明であると判断され、図面に示され且つ明細書に記載された関係に対する全ての均等な関係が本発明により網羅されることを理解すべきである。
【００９３】
したがって、前述の内容は本発明の原理の例示のみであると考えられる。さらに、無数の変形及び改造が当業者に容易に想起されるので、本発明を例示され記載された正確な構成及び動作に限定することは要望されず、したがって、全ての適切な変更及び均等物は本発明の範囲内にあると言える。
【図面の簡単な説明】
【００９４】
【図１】図１は本発明に従った新規な適合可能な電気アクセサリシステムの概略上部斜視図である。
【図２】図２は図１のラインＡ−Ａに沿った概略断面図である。
【図３】図３は本発明の概略分解上部斜視図である。
【図４】図４は図３のラインＡ−Ａに沿った概略断面図である。
【図５】図５は本発明に従った好ましい回路の概略図である。
【図６】図６は本発明の変形実施例の概略分解上部斜視図である。
【図７】図７は変形実施例の図６のライン７−７に沿った概略断面図である。
【図８】図８は本発明の保持装置の充電ベースの概略斜視図である。
【図９】図９は本発明に従った容器、レセプタクル等のオプションとして適合可能な電気アクセサリシステムの概略前面斜視図である。
【図１０】図１０はレセプタクルから除去される本発明の挿入部の概略前部斜視図である。
【図１１】図１１は挿入部のフラップと開口方向のレセプタクルを有する本発明の概略斜視図である。
【図１２】図１２はファイバーオプトライナーパネルを示す挿入部の概略上面図である。
【図１３】図１３は本発明のレセプタクルのフレームの概略前面図である。
【図１３Ａ】図１３Ａは本発明のオプショナル強制解放アセンブリの一部を示す概略側面図である。
【図１４】図１４は本発明の充電ベースの一実施例の電気部品の電気的相互関係を示す概略図である。
【図１５】図１５は本発明のレセプタクルの電気アセンブリの概略図である。
【図１６】図１６は本発明の挿入部のタイマー機構の概略図である。
【図１７】図１７は本発明の他のオプショナル実施例の外部の概略斜視図である。
【図１８】図１８は図９のオプショナル実施例の挿入部の概略斜視図である。
【図１９】図１９は本発明のレセプタクルに配置された挿入部を部分的に例示するために隆起した蓋部を有する図９のオプショナル実施例を示す概略斜視図である。
【図２０】図２０は挿入部の回路を特に例示する本発明の挿入部の概略斜視仮想図である。
【図２１】図２１は回路とレセプタクルの内壁を特に例示する本発明のレセプタクルを示す概略斜視仮想図である。
【図２２】図２２はレセプタクルの底部の特徴を特に例示する本発明のレセプタクルを示す概略底面図である。
【図２３】図２３は本発明の充電ベースのオプショナル実施例の概略斜視図である。
【図２４】図２４は電池を充電するための充電ベースに載置されたレセプタクルの概略斜視図である。
【図２５】図２５はオプショナル実施例のレセプタクルと挿入部の部品の電気相互関係を示す概略図である。
【図２６】図２６はオプショナル強制解放アセンブリの一部の概略図である。
【図２７】図２７はオプショナル強制解放アセンブリの一部の概略図である。
【図２８】図２８は図２６及び図２７に示されるオプショナル強制解放アセンブリの一部の概略断面図である。
【図２９】図２９はオプショナル強制解放アセンブリの一部の概略図である。
【図３０】図３０はレセプタクルの内部コンパートメントの詳細を示すために除去された部分を有する本発明の一実施例を示す概略斜視図である。
【図３１】図３１は図３０に示される実施例のレセプタクルの概略底面図である。
【図３２】図３２は本発明の一実施例の回路の概略図である。
【図３３】図３３は本発明の一実施例の回路ケースを示す概略分解斜視図である。
【図３４】図３４は本発明の一実施例の回路ケース、照明装置、電源アダプター、及びスイッチを示す概略斜視図である。
【図３５】図３５は本発明の一実施例の照明アセンブリの一つを示す概略前面図である。
【図３６】図３６は本発明の他の実施例の概略図である。
【符号の説明】
【００９５】
１２    保持装置
１４    ショルダーストラップ
１８    開口部
２０    着脱自在ライナー
２２    調光器
２４    反射／伝導チューブ
２６    光源
２８    発光ファイバー
３２    電源
４０    アラームシステム
４２    ブザー
４４    ソケット
４８    ストラップスイッチ
６４    ライナー
６７    電源スイッチ
６９    電気コード
７２    再充電ベース
８９    フラップ
９０    フレーム
【図１】
2007521046.tif 000003
【図２】
2007521046.tif 000004
【図３】
2007521046.tif 000005
【図４】
2007521046.tif 000006
【図５】
2007521046.tif 000007
【図６】
2007521046.tif 000008
【図７】
2007521046.tif 000009
【図８】
2007521046.tif 000010
【図９】
2007521046.tif 000011
【図１０】
2007521046.tif 000012
【図１１】
2007521046.tif 000013
【図１２】
2007521046.tif 000014
【図１３】
2007521046.tif 000015
【図１４】
2007521046.tif 000016
【図１５】
2007521046.tif 000017
【図１６】
2007521046.tif 000018
【図１７】
2007521046.tif 000019
【図１８】
2007521046.tif 000020
【図１９】
2007521046.tif 000021
【図２０】
2007521046.tif 000022
【図２１】
2007521046.tif 000023
【図２２】
2007521046.tif 000024
【図２３】
2007521046.tif 000025
【図２４】
2007521046.tif 000026
【図２５】
2007521046.tif 000027
【図２６】
2007521046.tif 000028
【図２７】
2007521046.tif 000029
【図２８】
2007521046.tif 000030
【図２９】
2007521046.tif 000031
【図３０】
2007521046.tif 000032
【図３１】
2007521046.tif 000033
【図３２】
2007521046.tif 000034
【図３３】
2007521046.tif 000035
【図３４】
2007521046.tif 000036
【図３５】
2007521046.tif 000037
【図３６】
2007521046.tif 000038
【国際調査報告】
2007521046.tif 000039